(57)【要約】  本技術は、伝送する電気信号の信号品質の劣化を防止することができる伝送路を提供することを目的とする。伝送路は、基準部、第一反射抑制部、第二反射抑制、第一非基準部及び第二非基準部を備えている。基準部は、第一非基準部及び第二非基準部のそれぞれと異なるインピーダンスを有し、第一反射抑制部は、第一送受信端のインピーダンスと第一非基準部のインピーダンスの反射係数を抑制可能なインピーダンスを有し、かつ基準部の電気長以下の電気長を有している。第二反射抑制は、第二送受信端のインピーダンスと第二非基準部のインピーダンスの反射係数を抑制可能なインピーダンスを有し、かつ基準部の電気長以下の電気長を有している。
2020121676.tif 000002
【特許請求の範囲】
【請求項１】
第一送受信端と第二送受信端との間に設けられた基準部と、
前記基準部の両側の一方と前記第一送受信端との間に設けられた第一領域と、
前記基準部の両側の他方と前記第二送受信端との間に設けられた第二領域と、
前記基準部と前記第一領域との間に設けられた第一非基準部と、
前記基準部と前記第二領域との間に設けられた第二非基準部と
を備え、
前記基準部は、前記第一非基準部及び前記第二非基準部のそれぞれと異なるインピーダンスを有し、
前記第一領域は、前記第一送受信端のインピーダンスと前記第一非基準部のインピーダンスの反射係数を抑制可能なインピーダンスを有し、かつ前記基準部の電気長以下の電気長を有し、
前記第二領域は、前記第二送受信端のインピーダンスと前記第二非基準部のインピーダンスの反射係数を抑制可能なインピーダンスを有し、かつ前記基準部の電気長以下の電気長を有する
伝送路。
【請求項２】
前記基準部は、前記第一非基準部及び前記第二非基準部のそれぞれのインピーダンスよりも高いインピーダンス又は低いインピーダンスを有する
請求項１に記載の伝送路。
【請求項３】
前記第一領域は、前記第一送受信端のインピーダンスと前記第一非基準部のインピーダンスの反射係数を１／４から１／２に抑制するインピーダンスを有し、
前記第二領域は、前記第二送受信端のインピーダンスと前記第二非基準部のインピーダンスの反射係数を１／４から１／２に抑制するインピーダンスを有する
請求項１に記載の伝送路。
【請求項４】
前記第一領域は、前記基準部の電気長の１／２から１／１までの電気長を有し、
前記第二領域は、前記基準部の電気長の１／２から１／１までの電気長を有する
請求項１に記載の伝送路。
【請求項５】
前記基準部は、基板上に設けられたチップ部品であり、
前記第一非基準部及び前記第二非基準部は、前記チップ部品を前記基板に設けるための部品パッドであり、
前記第一領域及び前記第二領域は、前記基板に形成された配線部である
請求項１に記載の伝送路。
【請求項６】
前記基準部は、基板上に設けられた端子部品であり、
前記第一非基準部及び前記第二非基準部は、前記端子部品を前記基板に設けるための部品パッドであり、
前記第一領域及び前記第二領域は、前記基板に形成された配線部である
請求項１に記載の伝送路。
【請求項７】
前記第一領域は、矩形状を有する
請求項１に記載の伝送路。
【請求項８】
前記第一領域は、テーパーが形成された角部を有する
請求項７に記載の伝送路。
【請求項９】
前記第二領域は、矩形状を有する
請求項１に記載の伝送路。
【請求項１０】
前記第二領域は、テーパーが形成された角部を有する
請求項９に記載の伝送路。
【発明の詳細な説明】
【技術分野】
【０００１】
本技術は、所定の電気信号を伝送する伝送路に関する。
【背景技術】
【０００２】
伝送路を伝送する電気信号は、当該伝送路のインピーダンスが異なる部分で反射される。伝送路に反射波が生じると、当該伝送路を伝送する電気信号の信号品質が劣化する。伝送路内で生じる電気信号の反射を抑制するために、インダクタ、抵抗及びコンデンサ（ＬＲＣ）の素子（部品）を用いた整合回路を設けたり、伝送路の電気長を調整したり、インピーダンス不整合部と送受信端との間に階段状のステップインピーダンスを用いたりして反射を抑制することが知られている（例えば特許文献１）。
【先行技術文献】
【特許文献】
【０００３】
【特許文献１】特開２０１７−３８１３３号公報
【発明の概要】
【発明が解決しようとする課題】
【０００４】
ＬＲＣの素子を用いる手法は、特性帯域の反射特性を改善することはできるが、その他の帯域の反射特性が悪化する。このため、ＬＲＣの素子を用いる手法は、デジタル信号のような広帯域な周波数成分を持つ信号の特性改善には適用し難いという問題がある。また、インピーダンス不整合部と送受信端との間に階段状のステップインピーダンスを用いる手法は、基準部とその基準部の両側に非基準部があるような伝送路では、反射特性改善の効果が得られ難いという問題がある。【０００５】
本技術の目的は、伝送する電気信号の信号品質の劣化を防止することができる伝送路を提供することにある。
【課題を解決するための手段】
【０００６】
上記目的を達成するために、本技術の一態様による伝送路は、第一送受信端と第二送受信端との間に設けられた基準部と、前記基準部の両側の一方と前記第一送受信端との間に設けられた第一領域と、前記基準部の両側の他方と前記第二送受信端との間に設けられた第二領域と、前記基準部と前記第一領域との間に設けられた第一非基準部と、前記基準部と前記第二領域との間に設けられた第二非基準部とを備え、前記基準部は、前記第一非基準部及び前記第二非基準部のそれぞれと異なるインピーダンスを有し、前記第一領域は、前記第一送受信端のインピーダンスと前記第一非基準部のインピーダンスの反射係数を抑制可能なインピーダンスを有し、かつ前記基準部の電気長以下の電気長を有し、前記第二領域は、前記第二送受信端のインピーダンスと前記第二非基準部のインピーダンスの反射係数を抑制可能なインピーダンスを有し、かつ前記基準部の電気長以下の電気長を有する。
【図面の簡単な説明】
【０００７】
【図１】本技術の一実施形態による伝送路の概略構成及びインピーダンスを模式的に示す図である。
【図２】本技術の一実施形態による伝送路及び比較例の伝送路に生じる反射波の周波数特性のシミュレーション結果を示す図（その１）である。
【図３】本技術の一実施形態による伝送路及び比較例の伝送路に生じる反射波の周波数特性のシミュレーション結果を示す図（その２）である。
【図４】本技術の一実施形態の変形例による伝送路の概略構成及びインピーダンスを模式的に示す図である。
【図５】本技術の一実施形態の実施例１による伝送路の概略構成及びインピーダンスを模式的に示す図である。
【図６】本技術の一実施形態の実施例２による伝送路の概略構成及びインピーダンスを模式的に示す図である。
【発明を実施するための形態】
【０００８】
本技術の一実施形態による伝送路について図１から図６を用いて説明する。まず、本実施形態による伝送路の概略構成について図１を用いて説明する。図１中の上段には、本実施形態による伝送路１の概略構成が模式的に図示され、図１中の下段には、伝送路１のインピーダンスが模式的に図示されている。図１中の下段に示す図の横軸は、伝送路１の位置を示し、当該図の縦軸は、伝送路１のインピーダンスの値［Ω］を示している。
【０００９】
図１中の上段に示すように、本実施形態による伝送路１は、第一送受信端１６と第二送受信端１７との間に設けられた基準部１１を備えている。伝送路１は、基準部１１の両側の一方と第一送受信端１６との間に設けられた第一反射抑制部（第一領域の一例）１４と、基準部１１の両側の他方と第二送受信端１７との間に設けられた第二反射抑制部（第二領域の一例）１５とを備えている。伝送路１は、基準部１１と第一反射抑制部１４との間に設けられた第一非基準部１２と、基準部１１と第二反射抑制部１５との間に設けられた第二非基準部１３とを備えている。
【００１０】
第一反射抑制部１４は、矩形状を有している。また、第一反射抑制部１４は、テーパーが形成された角部を有していてもよい。すなわち、第一反射抑制部１４は、第一送受信端１６側の角部が面取りされたような形状を有し、第一非基準部１２側の角部が外側に向かって傾斜した形状を有していてもよい。第二反射抑制部１５は、矩形状を有している。また、第二反射抑制部１５は、テーパーが形成された角部を有していてもよい。すなわち、第二反射抑制部１５は、第二送受信端１７側の角部が面取りされたような形状を有し、第二非基準部１３側の角部が外側に向かって傾斜した形状を有していてもよい。
【００１１】
図１中の下段に示すように、基準部１１は、第一非基準部１２及び第二非基準部１３のそれぞれと異なるインピーダンスを有している。より具体的に、基準部１１は、第一非基準部１２のインピーダンスＺｎｒｅｆ１よりも大きい値のインピーダンスＺｒｅｆを有している。基準部１１は、第二非基準部１３のインピーダンスＺｎｒｅｆ２よりも大きい値のインピーダンスＺｒｅｆを有している。
【００１２】
また、第一反射抑制部１４は、第一送受信端１６のインピーダンスＺ０と第一非基準部１２のインピーダンスＺｎｒｅｆ１の反射係数を抑制可能なインピーダンスＺｓｕｐ１を有し、かつ基準部１１の電気長ＥＬｒｅｆ以下の電気長ＥＬ１を有している。第二反射抑制部１５は、第二送受信端１７のインピーダンスＺ０と第二非基準部１３のインピーダンスＺｎｒｅｆ２の反射係数を抑制可能なインピーダンスＺｓｕｐ２を有し、かつ基準部１１の電気長ＥＬｒｅｆ以下の電気長ＥＬ２を有している。
【００１３】
図１に示すように、基準部１１は、第一非基準部１２及び第二非基準部１３のそれぞれのインピーダンスＺｎｒｅｆ１，Ｚｎｒｅｆ２よりも高いインピーダンスＺｒｅｆを有している。以下、インピーダンスのそれぞれの符号「Ｚｒｅｆ、Ｚｎｒｅｆ１，Ｚｎｒｅｆ２」をインピーダンスの値としても用いる。基準部１１、第一非基準部１２及び第二非基準部１３のそれぞれのインピーダンスは、以下の式（１）の関係を満たす。
Ｚｒｅｆ＞Ｚｎｒｅｆ１、かつ、Ｚｒｅｆ＞Ｚｎｒｅｆ２  ・・・（１）
【００１４】
第一非基準部１２のインピーダンスＺｎｒｅｆ及び第二非基準部１３のインピーダンスＺｎｒｅｆ２は、同じ値である必要はないが、いずれも基準部１１のインピーダンスＺｒｅｆの値よりも小さい値である必要がある。
【００１５】
第一反射抑制部１４は、第一送受信端１６のインピーダンスＺ０と第一非基準部１２のインピーダンスＺｎｒｅｆ１の反射係数を１／４から１／２に抑制するインピーダンスＺｓｕｐ１を有している。以下、第一送受信端１６及び第二送受信端１７のインピーダンスの符号「Ｚ０」をインピーダンスの値としても用いる。第一反射抑制部１４のインピーダンスＺｓｕｐ１は、以下の式（２）の関係を満たす。
Ｚｓｕｐ１＝√（Ｚ０×Ｚｎｒｅｆ１）  ・・・（２）
【００１６】
第二反射抑制部１５は、第二送受信端１７のインピーダンスＺ０と第二非基準部１３のインピーダンスＺｎｒｅｆ２の反射係数を１／４から１／２に抑制するインピーダンスＺｓｕｐ２を有している。第二反射抑制部１５のインピーダンスＺｓｕｐ２は、例えば式（３）の関係を満たす。
Ｚｓｕｐ２＝√（Ｚ０×Ｚｎｒｅｆ２）  ・・・（３）
【００１７】
第一反射抑制部１４は、基準部１１の電気長ＥＬｒｅｆの１／２から１／１までの電気長ＥＬ１を有している。つまり、第一反射抑制部１４は、基準部１１の電気長ＥＬｒｅｆの半分の長さから電気長ＥＬｒｅｆと同じ長さの間の電気長ＥＬ１を有している。以下、電気長の符号「ＥＬｒｅｆ，ＥＬ１」を電気長の値としても用いる。第一反射抑制部１４の電気長ＥＬ１は、以下の式（４）の関係を満たす。
ＥＬｒｅｆ／２＜ＥＬ１≦ＥＬｒｅｆ  ・・・（４）
【００１８】
第二反射抑制部１５は、基準部１１の電気長ＥＬｒｅｆの１／２から１／１までの電気長ＥＬ２を有している。つまり、第二反射抑制部１５は、基準部１１の電気長ＥＬｒｅｆの半分の長さから電気長ＥＬｒｅｆと同じ長さの間の電気長ＥＬ２を有している。以下、電気長の符号「ＥＬ２」を電気長の値としても用いると、第二反射抑制部１５の電気長ＥＬ２は、式（５）の関係を満たす。
ＥＬｒｅｆ／２＜ＥＬ２≦ＥＬｒｅｆ  ・・・（５）
【００１９】
ところで、第一反射抑制部１４が、第一送受信端１６のインピーダンスＺ０と第一非基準部１２のインピーダンスＺｎｒｅｆ１の反射係数を１／４から１／２の範囲内に抑制できないインピーダンスＺｓｕｐ１を有しているとする。また、第二反射抑制部１５は、第二送受信端１７のインピーダンスＺ０と第二非基準部１３のインピーダンスＺｎｒｅｆ２の反射係数を１／４から１／２の範囲内に抑制できないインピーダンスＺｓｕｐ２を有しているとする。また、第一反射抑制部１４は、基準部１１の電気長ＥＬｒｅｆの１／２から１／１までの電気長ＥＬ１を有しているとする。さらに、第二反射抑制部１５は、基準部１１の電気長ＥＬｒｅｆの１／２から１／１までの電気長ＥＬ２を有しているとする。伝送路１がこれらの条件の少なくとも１つでも満たして形成されている場合、伝送路５の反射特性は、反射面Ｒ０，Ｒｒｅｆ１，Ｒｒｅｆ２，Ｒｎｒｅｆ１，Ｒｎｒｅｆ２（詳細は後述）による複合的な要素で悪化してしまう。
【００２０】
第一反射抑制部１４及び第二反射抑制部１５のインピーダンスＺｓｕｐ１，Ｚｓｕｐ２や電気長ＥＬ１，ＥＬ２は、配線幅、配線材料の誘電率、配線の高さ（厚さ）、レジストの高さ（厚さ、レジストがない場合も含む）などを調整することによって実現できる。
【００２１】
次に、伝送路１の動作について説明する。例えば、第一送受信端１６から伝送路１に送信された電気信号（デジタル信号又はアナログ信号）は、第一送受信端１６と第一反射抑制部１４との接続部に形成される反射面Ｒ０で反射されるとともに透過する。反射面Ｒ０を透過した電気信号は、第一反射抑制部１４を伝送し、第一反射抑制部１４と第一非基準部１２との接続部に形成される反射面Ｒｎｒｅｆ１において反射されるとともに透過する。反射面Ｒｎｒｅｆ１を透過した電気信号は、第一非基準部１２を伝送し、第一非基準部１２と基準部１１との接続部に形成される反射面Ｒｒｅｆ１において反射されるとともに透過する。反射面Ｒｒｅｆ１を透過した電気信号は、基準部１１を伝送し、基準部１１と第二非基準部１３との接続部に形成される反射面Ｒｒｅｆ２において反射されるとともに透過する。反射面Ｒｒｅｆ２を透過した電気信号は、第二非基準部１３を伝送し、第二非基準部１３と第二反射抑制部１５との接続部に形成される反射面Ｒｎｒｅｆ２において反射されるとともに透過する。反射面Ｒｎｒｅｆ２を透過した電気信号は、第二反射抑制部１５を伝送し、第二反射抑制部１５と第二送受信端１７との接続部に形成される反射面Ｒ０において反射されるとともに透過し、第二送受信端１７から外部に送出される。
【００２２】
このように、伝送路１を電気信号が伝送する際に、反射面Ｒｒｅｆ１で反射した反射波Ｗｒｅｆ１と、反射面Ｒｒｅｆ２で反射した反射波Ｗｒｅｆ２とが重なるときに、振幅が大きい反射波Ｗｒｅｆとなり、信号品質を劣化させる。反射波Ｗｒｅｆの振幅が最も大きくなるのは、反射波Ｗｒｅｆの波長λが基準部１１の電気長ＥＬｒｅｆのλ／４になるときである。
【００２３】
第一反射抑制部１４は、第一送受信端１６のインピーダンスＺ０と第一非基準部１２のインピーダンスＺｎｒｅｆ１の反射係数を１／４から１／２に抑制可能なインピーダンスＺｓｕｐ１を有し、かつ基準部１１の電気長ＥＬｒｅｆ以下の電気長ＥＬ１を有している。このため、第一送受信端１６に基づく反射面Ｒ０で反射した反射波Ｗ０及び反射面Ｒｎｒｅｆ１で反射した反射波Ｗｎｒｅｆ１は、反射波Ｗｒｅｆと位相が１８０°反転し、かつ反射波Ｗｒｅｆの振幅の１／４から１／２の振幅を有する。また、第二反射抑制部１５は、第二送受信端１７のインピーダンスＺ０と第二非基準部１３のインピーダンスＺｎｒｅｆ２の反射係数を１／４から１／２に抑制可能なインピーダンスＺｓｕｐ２を有し、かつ基準部１１の電気長ＥＬｒｅｆ以下の電気長ＥＬ２を有している。このため、第二送受信端１７に基づく反射面Ｒ０で反射した反射波Ｗ０及び反射面Ｒｎｒｅｆ２で反射した反射波Ｗｎｒｅｆ２は、反射波Ｗｒｅｆと位相が１８０°反転し、かつ反射波Ｗｒｅｆの振幅の１／４から１／２の振幅を有する。
【００２４】
このため、反射波Ｗｎｒｅｆ１及び反射波Ｗｎｒｅｆ２は、反射波Ｗｒｅｆの振幅が最大となる周波数を打ち消す。これにより、伝送路１に生じる反射波が低減され、伝送路１を伝送する電気信号の信号品質の劣化を防止することができる。
【００２５】
次に、本実施形態による伝送路１の効果について図１を参照しつつ図２及び図３を用いて説明する。図２は、基準部１１、第一非基準部１２及び第二非基準部１３のそれぞれのインピーダンスが式（１）の関係を満たし、かつ第一非基準部１２のインピーダンスＺｎｒｅｆ１及び第二非基準部１３のインピーダンスＺｎｒｅｆ２が等しい場合の反射波の周波数特性のシミュレーション結果を示す図である。図３は、基準部１１、第一非基準部１２及び第二非基準部１３のそれぞれのインピーダンスが式（１）の関係を満たし、かつ基準部１１のインピーダンスＺｒｅｆが第一非基準部１２のインピーダンスＺｎｒｅｆ１よりも低く、第一非基準部１２のインピーダンスＺｎｒｅｆ１が第二非基準部１３のインピーダンスＺｎｒｅｆ２よりも低い場合の反射波の周波数特性のシミュレーション結果を示す図である。図２中及び図３中に示すグラフの横軸は周波数［ＧＨｚ］を示し、当該グラフの縦軸は反射特性［ｄＢ］を示している。図２中及び図３中に実線で示す特性ＲＣ１は、伝送路１に生じる反射波の周波数特性を示し、図２中及び図３中に破線で示す特性ＲＣ２は、第一反射抑制部１４及び第二反射抑制部１５を有しない伝送路（比較例の伝送路）に生じる反射波の周波数特性を示している。
【００２６】
図２中に特性ＲＣ１及び黒三角印ｍ１で示すように、本実施形態による伝送路１に発生する反射波は、周波数３６．１３ＧＨｚにおいて最大レベル−１０．３９０ｄＢとなる。一方、図２中に特性ＲＣ２及び黒三角印ｍ２で示すように、比較例による伝送路に発生する反射波は、周波数１３．０１ＧＨｚにおいて最大レベル−７．５７９ｄＢとなる。このように、伝送路１は、反射波のレベルを抑制できる。
【００２７】
また、図２に示すように、伝送路１に生じる反射波は、比較例による伝送路に生じる反射波のレベルがピーク（例えば黒三角印ｍ２）となる周波数近傍で凹状となる周波数特性を有する。このため、伝送路１は、第一反射抑制部１４及び第二反射抑制部１５を備えることによって、第一反射抑制部１４及び第二反射抑制部１５を備えない場合に生じる反射波のピークレベルを抑制することができる。
【００２８】
図３中に特性ＲＣ１及び黒三角印ｍ１で示すように、本実施形態による伝送路１に発生する反射波は、周波数２９．１４ＧＨｚにおいて最大レベル−９．０４９ｄＢとなる。一方、図３中に特性ＲＣ２及び黒三角印ｍ３で示すように、比較例による伝送路に発生する反射波は、周波数１６．４８ＧＨｚにおいて最大レベル−６．６４０ｄＢとなる。このように、伝送路１は、反射波のレベルを抑制できる。
【００２９】
また、図３に示すように、伝送路１に生じる反射波は、比較例による伝送路に生じる反射波のレベルがピーク（例えば黒三角印ｍ３）となる周波数近傍で凹状となる周波数特性を有する。このため、伝送路１は、第一反射抑制部１４及び第二反射抑制部１５を備えることによって、第一反射抑制部１４及び第二反射抑制部１５を備えない場合に生じる反射波のピークレベルを抑制することができる。
【００３０】
以上説明したように、本実施形態による伝送路１は、第一送受信端１６と第二送受信端１７との間に設けられた基準部１１と、基準部１１の両側の一方と第一送受信端１６との間に設けられた第一反射抑制部１４と、基準部１１の両側の他方と第二送受信端１７との間に設けられた第二反射抑制部１５と、基準部１１と第一反射抑制部１４との間に設けられた第一非基準部１２と、基準部１１と第二反射抑制部１５との間に設けられた第二非基準部１３とを備えている。基準部１１は、第一非基準部１２及び第二非基準部１３のそれぞれと異なるインピーダンスを有し、第一反射抑制部１４は、第一送受信端１６のインピーダンスと第一非基準部１２のインピーダンスの反射係数を抑制可能なインピーダンスを有し、かつ基準部１１の電気長以下の電気長を有している。第二反射抑制部１５は、第二送受信端１７のインピーダンスと第二非基準部１３のインピーダンスの反射係数を抑制可能なインピーダンスを有し、かつ基準部１１の電気長以下の電気長を有している。
【００３１】
当該構成を備える伝送路１は、インピーダンスの異なる部分を有していても電気信号の反射を抑制することができる。このため、伝送路１は、伝送する電気信号の信号品質の劣化を防止することができる。
【００３２】
（変形例）
次に、本実施形態の変形例による伝送路について図４を用いて説明する。図４中の上段には、本変形例による伝送路３の概略構成が模式的に図示され、図４中の下段には、伝送路３のインピーダンスが模式的に図示されている。図３中の下段に示す図の横軸は、伝送路３の位置を示し、当該図の縦軸は、伝送路３のインピーダンスの値［Ω］を示している。伝送路３について、上記実施形態による伝送路１と同様の作用・機能を奏する構成要素には、同一の符号を付して、その説明は省略する。本変形例による伝送路３は、基準部が第一非基準部及び第二非基準部よりも低いインピーダンスを有している点に特徴を有している。
【００３３】
図４中の上段に示すように、本変形例による伝送路３は、基準部１１と第一反射抑制部１４との間に設けられた第一非基準部３２と、基準部１１と第二反射抑制部１５との間に設けられた第二非基準部３３とを備えている。
【００３４】
図４中の下段に示すように、基準部１１は、第一非基準部３２及び第二非基準部３３のそれぞれと異なるインピーダンスを有している。より具体的に、基準部１１は、第一非基準部３２のインピーダンスＺｎｒｅｆ１よりも小さい値のインピーダンスＺｒｅｆを有している。基準部１１は、第二非基準部３３のインピーダンスＺｎｒｅｆ２よりも大きい値のインピーダンスＺｒｅｆを有している。
【００３５】
また、第一反射抑制部１４は、第一送受信端１６のインピーダンスＺ０と第一非基準部３２のインピーダンスＺｎｒｅｆ１の反射係数を抑制可能なインピーダンスＺｓｕｐ１を有し、かつ基準部１１の電気長ＥＬｒｅｆ以下の電気長ＥＬ１を有している。第二反射抑制部１５は、第二送受信端１７のインピーダンスＺ０と第二非基準部３３のインピーダンスＺｎｒｅｆ２の反射係数を抑制可能なインピーダンスＺｓｕｐ２を有し、かつ基準部１１の電気長ＥＬｒｅｆ以下の電気長ＥＬ２を有している。
【００３６】
図４に示すように、基準部１１は、第一非基準部３２及び第二非基準部３３のそれぞれのインピーダンスＺｎｒｅｆ１，Ｚｎｒｅｆ２よりも低いインピーダンスＺｒｅｆを有している。本変形例では、基準部１１、第一非基準部３２及び第二非基準部３３のそれぞれのインピーダンスは、以下の式（６）の関係を満たす。
Ｚｒｅｆ＜Ｚｎｒｅｆ１、かつ、Ｚｒｅｆ＜Ｚｎｒｅｆ２  ・・・（６）
【００３７】
第一非基準部３２のインピーダンスＺｎｒｅｆ及び第二非基準部３３のインピーダンスＺｎｒｅｆ２は、同じ値である必要はないが、いずれも基準部１１のインピーダンスＺｒｅｆの値よりも大きい値である必要がある。
【００３８】
次に、伝送路３の動作について簡潔に説明する。
図４に示すように、基準部１１が第一非基準部３２のインピーダンスＺｎｒｅｆ１よりも低いインピーダンスＺｒｅｆを有していると、基準部１１と第一非基準部３２との接続部において反射面Ｒｒｅｆ１が形成される。同様に、基準部１１が第二非基準部３３のインピーダンスＺｎｒｅｆ２よりも低いインピーダンスＺｒｅｆを有していると、基準部１１と第二非基準部３３との接続部において反射面Ｒｒｅｆ２が形成される。このため、伝送路３を伝送する電気信号（デジタル信号又はアナログ信号）は、反射面Ｒｒｅｆ１、Ｒｒｅｆ２によって反射される。これにより、伝送路３には、振幅が大きい反射波Ｗｒｅｆが発生する。
【００３９】
しかしながら、伝送路３は、第一反射抑制部１４及び第二反射抑制部１５を備えている。このため、第一反射抑制部１４は、第一送受信端１６のインピーダンスＺ０と第一非基準部３２のインピーダンスＺｎｒｅｆ１の反射係数を１／４から１／２に抑制可能なインピーダンスＺｓｕｐ１を有し、かつ基準部１１の電気長ＥＬｒｅｆ以下の電気長ＥＬ１を有している。このため、第一送受信端１６に基づく反射面Ｒ０で反射した反射波Ｗ０及び反射面Ｒｎｒｅｆ１で反射した反射波Ｗｎｒｅｆ１は、反射波Ｗｒｅｆと位相が１８０°反転し、かつ反射波Ｗｒｅｆの振幅の１／４から１／２の振幅を有する。また、第二反射抑制部１５は、第二送受信端１７のインピーダンスＺ０と第二非基準部３３のインピーダンスＺｎｒｅｆ２の反射係数を１／４から１／２に抑制可能なインピーダンスＺｓｕｐ２を有し、かつ基準部１１の電気長ＥＬｒｅｆ以下の電気長ＥＬ２を有している。このため、第二送受信端１７に基づく反射面Ｒ０で反射した反射波Ｗ０及び反射面Ｒｎｒｅｆ２で反射した反射波Ｗｎｒｅｆ２は、反射波Ｗｒｅｆと位相が１８０°反転し、かつ反射波Ｗｒｅｆの振幅の１／４から１／２の振幅を有する。
【００４０】
このため、反射波Ｗｎｒｅｆ１及び反射波Ｗｎｒｅｆ２は、反射波Ｗｒｅｆの振幅が最大となる周波数を打ち消す。これにより、伝送路３に生じる反射波が低減され、伝送路３を伝送する電気信号の信号品質の劣化を防止することができる。
【００４１】
以上説明したように、本変形例による伝送路３は、上記実施形態による伝送路１と同様の効果が得られる。
【００４２】
（実施例１）
次に、本実施形態の実施例１による伝送路について図５を用いて説明する。図５中の上段には、本実施例による伝送路５の概略構成が模式的に図示され、図５中の下段には、伝送路５のインピーダンスが模式的に図示されている。図５中の下段に示す図の横軸は、伝送路５の位置を示し、当該図の縦軸は、伝送路５のインピーダンスの値［Ω］を示している。
【００４３】
図５中の上段に示すように、本実施例による伝送路５は、第一送受信端５６と第二送受信端５７との間に設けられたチップ部品（基準部の一例）５１を備えている。チップ部品５１は、基板５９上に設けられている。伝送路５は、チップ部品５１の両側の一方と第一送受信端５６との間に設けられた第一配線部（第一領域の一例）５４と、チップ部品５１の両側の他方と第二送受信端５７との間に設けられた第二配線部（第二領域の一例）５５とを備えている。第一配線部５４及び第二配線部５５は、基板５９上に形成されている。伝送路５は、チップ部品５１と第一配線部５４との間に設けられた第一部品パッド（第一非基準部の一例）５２と、チップ部品５１と第二配線部５５との間に設けられた第二部品パッド（第二非基準部の一例）５３とを備えている。チップ部品５１は、第一部品パッド５２及び第二部品パッド５３に例えばハンダ付けされている。第一部品パッド５２及び第二部品パッド５３は、チップ部品５１を基板５９に実装するために基板５９上に形成されている。このように、本実施例では、基準部は、基板上に設けられたチップ部品であり、第一非基準部及び第二非基準部は、チップ部品を基板に設けるための部品パッドであり、第一反射抑制部（第一領域の一例）及び第二反射抑制部（第二領域の一例）は、基板に形成された配線部である。
【００４４】
第一配線部５４は、矩形状を有している。また、第一配線部５４は、テーパーが形成された角部を有していてもよい。すなわち、第一配線部５４は、第一送受信端５６側の角部が面取りされたような形状を有し、第一部品パッド５２側の角部が外側に向かって傾斜した形状を有していてもよい。第二配線部５５は、矩形状を有している。また、第二配線部５５は、テーパーが形成された角部を有していてもよい。すなわち、第二配線部５５は、第二送受信端５７側の角部が面取りされたような形状を有し、第二部品パッド５３側の角部が外側に向かって傾斜した形状を有していてもよい。
【００４５】
図５中の下段に示すように、チップ部品５１は、第一部品パッド５２及び第二部品パッド５３のそれぞれと異なるインピーダンスを有している。より具体的に、チップ部品５１は、第一部品パッド５２のインピーダンスＺｐｄ１よりも大きい値のインピーダンスＺｃｐを有している。チップ部品５１は、第二部品パッド５３のインピーダンスＺｐｄ２よりも大きい値のインピーダンスＺｃｐを有している。
【００４６】
また、第一配線部５４は、第一送受信端５６のインピーダンスＺ０と第一部品パッド５２のインピーダンスＺｐｄ１の反射係数を抑制可能なインピーダンスＺｓｔ１を有し、かつチップ部品５１の電気長ＥＬｃｐ以下の電気長ＥＬｔ１を有している。第一部品パッド５２のインピーダンスＺｐｄ１には、チップ部品５１を第一部品パッド５２にハンダ付けするために用いられるハンダ（不図示）のインピーダンスも含まれている。第二配線部５５は、第二送受信端５７のインピーダンスＺ０と第二部品パッド５３のインピーダンスＺｐｄ２の反射係数を抑制可能なインピーダンスＺｓｔ２を有し、かつチップ部品５１の電気長ＥＬｃｐ以下の電気長ＥＬｔ２を有している。第二部品パッド５３のインピーダンスＺｐｄ２には、チップ部品５１を第二部品パッド５３にハンダ付けするために用いられるハンダ（不図示）のインピーダンスも含まれている。
【００４７】
図５に示すように、チップ部品５１は、第一部品パッド５２及び第二部品パッド５３のそれぞれのインピーダンスＺｐｄ１，Ｚｐｄ２よりも高いインピーダンスＺｃｐを有している。以下、インピーダンスのそれぞれの符号「Ｚｃｐ、Ｚｐｄ１，Ｚｐｄ２」をインピーダンスの値としても用いる。チップ部品５１、第一部品パッド５２及び第二部品パッド５３のそれぞれのインピーダンスは、以下の式（７）の関係を満たす。
Ｚｃｐ＞Ｚｐｄ１、かつ、Ｚｃｐ＞Ｚｐｄ２  ・・・（７）
【００４８】
第一部品パッド５２のインピーダンスＺｐｄ１及び第二部品パッド５３のインピーダンスＺｐｄ２は、同じ値である必要はないが、いずれもチップ部品５１のインピーダンスＺｃｐの値よりも小さい値である必要がある。
【００４９】
第一配線部５４は、第一送受信端５６のインピーダンスＺ０と第一部品パッド５２のインピーダンスＺｐｄ１の反射係数を１／４から１／２に抑制するインピーダンスＺｓｔ１を有している。以下、第一送受信端５６及び第二送受信端５７のインピーダンスの符号「Ｚ０」をインピーダンスの値としても用いる。第一配線部５４のインピーダンスＺｓｔ１は、以下の式（８）の関係を満たす。
Ｚｓｔ１＝√（Ｚ０×Ｚｐｄ１）  ・・・（８）
【００５０】
第二配線部５５は、第二送受信端５７のインピーダンスＺ０と第二部品パッド５３のインピーダンスＺｐｄ２の反射係数を１／４から１／２に抑制するインピーダンスＺｓｔ２を有している。第二配線部５５のインピーダンスＺｓｔ２は、例えば式（９）の関係を満たす。
Ｚｓｔ２＝√（Ｚ０×Ｚｐｄ２）  ・・・（９）
【００５１】
第一配線部５４は、チップ部品５１の電気長ＥＬｃｐの１／２から１／１までの電気長ＥＬｔ１を有している。つまり、第一配線部５４は、チップ部品５１の電気長ＥＬｃｐの半分の長さから電気長ＥＬｃｐと同じ長さの間の電気長ＥＬｔ１を有している。以下、電気長の符号「ＥＬｃｐ，ＥＬｔ１」を電気長の値としても用いると、第一配線部５４の電気長ＥＬｔ１は、式（１０）の関係を満たす。
ＥＬｃｐ／２＜ＥＬｔ１≦ＥＬｃｐ  ・・・（１０）
【００５２】
第二配線部５５は、チップ部品５１の電気長ＥＬｃｐの１／２から１／１までの電気長ＥＬｔ２を有している。つまり、第二配線部５５は、チップ部品５１の電気長ＥＬｃｐの半分の長さから電気長ＥＬｃｐと同じ長さの間の電気長ＥＬｔ２を有している。以下、電気長の符号「ＥＬ２」を電気長の値としても用いる。第二配線部５５の電気長ＥＬ２は、以下の式（１１）の関係を満たす。
ＥＬｃｐ／２＜ＥＬｔ２≦ＥＬｃｐ  ・・・（１１）
【００５３】
ところで、第一配線部５４が、第一送受信端５６のインピーダンスＺ０と第一部品パッド５２のインピーダンスＺｐｄ１の反射係数を１／４から１／２の範囲内に抑制できないインピーダンスＺｓｔ１を有しているとする。また、第二配線部５５は、第二送受信端５７のインピーダンスＺ０と第二部品パッド５３のインピーダンスＺｐｄ２の反射係数を１／４から１／２の範囲内に抑制できないインピーダンスＺｓｔ２を有しているとする。また、第一配線部５４は、チップ部品５１の電気長ＥＬｃｐの１／２から１／１までの範囲外の電気長ＥＬｔ１を有しているとする。さらに、第二配線部５５は、チップ部品５１の電気長ＥＬｃｐの１／２から１／１までの範囲外の電気長ＥＬｔ２を有しているとする。伝送路５がこれらの条件の少なくとも１つでも満たして形成されている場合、伝送路５の反射特性は、２つの反射面Ｒ０（詳細は後述）及び反射面Ｒｐｄ１，Ｒｐｄ２，Ｒｃｐ１，Ｒｃｐ２（詳細は後述）による複合的な要素で悪化してしまう。
【００５４】
第一配線部５４及び第二配線部５５のインピーダンスＺｓｔ１，Ｚｓｔ２や電気長ＥＬｔ１，ＥＬｔ２は、配線幅、配線材料の誘電率、配線の高さ（厚さ）などで調整することによって実現できる。また、第一配線部５４及び第二配線部５５のインピーダンスＺｓｔ１，Ｚｓｔ２や電気長ＥＬｔ１，ＥＬｔ２は、第一配線部５４及び第二配線部５５がレジストで覆われるか否か、あるいは当該レジストの高さ（厚さ）で調整することによって実現できる。
【００５５】
次に、伝送路５の動作について説明する。例えば、第一送受信端５６から伝送路５に送信された電気信号（デジタル信号又はアナログ信号）は、第一送受信端５６と第一配線部５４との接続部に形成される反射面Ｒ０で反射されるとともに透過する。反射面Ｒ０を透過した電気信号は、第一配線部５４を伝送し、第一配線部５４と第一部品パッド５２との接続部に形成される反射面Ｒｐｄ１において反射されるとともに透過する。反射面Ｒｐｄ１を透過した電気信号は、第一部品パッド５２を伝送し、第一部品パッド５２とチップ部品５１との接続部に形成される反射面Ｒｃｐ１において反射されるとともに透過する。反射面Ｒｐｄ１を透過した電気信号は、チップ部品５１を伝送し、チップ部品５１と第二部品パッド５３との接続部に形成される反射面Ｒｃｐ２において反射されるとともに透過する。反射面Ｒｐｄ２を透過した電気信号は、第二部品パッド５３を伝送し、第二部品パッド５３と第二配線部５５との接続部に形成される反射面Ｒｐｄ２において反射されるとともに透過する。反射面Ｒｐｄ２を透過した電気信号は、第二配線部５５を伝送し、第二配線部５５と第二送受信端５７との接続部に形成される反射面Ｒ０において反射されるとともに透過し、第二送受信端５７から外部に送出される。
【００５６】
このように、伝送路５を電気信号が伝送する際に、反射面Ｒｃｐ１で反射した反射波Ｗｃｐ１と、反射面Ｒｃｐ２で反射した反射波Ｗｃｐ２とが重なるときに、振幅が大きい反射波Ｗｃｐとなり、信号品質を劣化させる。反射波Ｗｃｐの振幅が最も大きくなるのは、反射波Ｗｃｐの波長λがチップ部品５１の電気長ＥＬｃｐのλ／４になるときである。
【００５７】
第一配線部５４は、第一送受信端５６のインピーダンスＺ０と第一部品パッド５２のインピーダンスＺｐｄ１の反射係数を１／４から１／２に抑制可能なインピーダンスＺｓｔ１を有し、かつチップ部品５１の電気長ＥＬｃｐ以下の電気長ＥＬｔ１を有している。このため、第一送受信端５６に基づく反射面Ｒ０で反射した反射波Ｗ０及び反射面Ｒｐｄ１で反射した反射波Ｗｐｄ１は、反射波Ｗｃｐと位相が１８０°反転し、かつ反射波Ｗｃｐの振幅の１／４から１／２の振幅を有する。また、第二配線部５５は、第二送受信端５７のインピーダンスＺ０と第二部品パッド５３のインピーダンスＺｐｄ２の反射係数を１／４から１／２に抑制可能なインピーダンスＺｓｔ２を有し、かつチップ部品５１の電気長ＥＬｃｐ以下の電気長ＥＬｔ２を有している。このため、第二送受信端５７に基づく反射面Ｒ０で反射した反射波Ｗ０及び反射面Ｒｐｄ２で反射した反射波Ｗｐｄ２は、反射波Ｗｃｐと位相が１８０°反転し、かつ反射波Ｗｃｐの振幅の１／４から１／２の振幅を有する。
【００５８】
このため、反射波Ｗｐｄ１及び反射波Ｗｐｄ２は、反射波Ｗｃｐの振幅が最大となる周波数を打ち消す。これにより、伝送路５に生じる反射波が低減され、伝送路５を伝送する電気信号の品質の劣化を防止することができる。
【００５９】
以上説明したように、本実施例による伝送路５は、上記実施形態による伝送路１と同様の効果が得られる。また、本実施例による伝送路５は、特別な部品を用いずに、第一送受信端５６と第一部品パッド５２との間を接続する第一配線部５４のインピーダンスと、第二送受信端５７と第二部品パッド５３との間を接続する第二配線部５５のインピーダンスとを調整することによって、伝送する電気信号の品質の劣化を防止することができる。
【００６０】
本実施例による伝送路５では、チップ部品５１は、第一部品パッド５２及び第二部品パッド５３のそれぞれのインピーダンスＺｐｄ１，Ｚｐｄ２よりも高いインピーダンスＺｃｐを有している。しかしながら、チップ部品５１は、第一部品パッド５２及び第二部品パッド５３のそれぞれのインピーダンスＺｐｄ１，Ｚｐｄ２よりも低いインピーダンスＺｃｐを有し、以下の式（１２）の関係を満たしていてもよい。
Ｚｔｐ＜Ｚｐｄ１、かつ、Ｚｔｐ＜Ｚｐｄ２  ・・・（１２）
【００６１】
（実施例２）
次に、本実施形態の実施例２による伝送路について図６を用いて説明する。図６中の上段には、本実施例による伝送路７の概略構成が模式的に図示され、図６中の下段には、伝送路７のインピーダンスが模式的に図示されている。図６中の下段に示す図の横軸は、伝送路７の位置を示し、当該図の縦軸は、伝送路７のインピーダンスの値［Ω］を示している。
【００６２】
図６中の上段に示すように、本実施例による伝送路７は、第一送受信端７６と第二送受信端７７との間に設けられた端子部品（基準部の一例）７１を備えている。端子部品７１は、基板７８及び基板７９を接続するために基板７８及び基板７９のそれぞれの端部に設けられたエッジコネクタである。端子部品７１は、基板７８側に設けられた第一部品７１１と、基板７９側に設けられた第二部品７１２とを有している。第一部品７１１を第二部品７１２に挿入することにより、端子部品７１は、基板７８及び基板７９を接続することができる。端子部品７１のインピーダンスＺｔｐは、第一部品７１１を第二部品７１２に挿入した状態でのインピーダンスである。端子部品７１を構成する第一部品７１１及び第二部品７１２は、第一部品７１１及び第二部品７１２の一部である誘電体の形状などの違いによって互いに異なる実効誘電率を有する。例えば、第二部品７１２は、第一部品７１１に比べて実効誘電率が低い。そのため、第一部品７１１及び第二部品７１２は、互いに異なる導体形状を有するが、同じ特性インピーダンスを有している。これにより、第一部品７１１及び第二部品７１２の接続部において反射面が形成されず、端子部品７１は、第一部品７１１及び第二部品７１２を通して一定値のインピーダンスＺｔｐを有する。
【００６３】
伝送路７は、端子部品７１の両側の一方と第一送受信端７６との間に設けられた第一配線部（第一領域の一例）７４と、端子部品７１の両側の他方と第二送受信端７７との間に設けられた第二配線部（第二領域の一例）７５とを備えている。伝送路７は、端子部品７１と第一配線部７４との間に設けられた第一部品パッド（第一非基準部の一例）７２と、端子部品７１と第二配線部７５との間に設けられた第二部品パッド（第二非基準部の一例）７３とを備えている。端子部品７１は、第一部品パッド７２及び第二部品パッド７３に例えばハンダ付けされている。このように、本実施例では、基準部は、基板上に設けられた端子部品であり、第一非基準部及び第二非基準部は、端子部品を基板に設けるための部品パッドであり、第一反射抑制部（第一領域の一例）及び第二反射抑制部（第二領域の一例）は、基板に形成された配線部である。
【００６４】
第一配線部７４は、矩形状を有している。また、第一配線部７４は、テーパーが形成された角部を有していてもよい。すなわち、第一配線部７４は、第一送受信端７６側の角部が面取りされたような形状を有し、第一部品パッド７２側の角部が外側に向かって傾斜した形状を有していてもよい。第二配線部７５は、矩形状を有している。また、第二配線部７５は、テーパーが形成された角部を有していてもよい。すなわち、第二配線部７５は、第二送受信端７７側の角部が面取りされたような形状を有し、第二部品パッド７３側の角部が外側に向かって傾斜した形状を有していてもよい。
【００６５】
図６中の下段に示すように、端子部品７１は、第一部品パッド７２及び第二部品パッド７３のそれぞれと異なるインピーダンスを有している。より具体的に、端子部品７１は、第一部品パッド７２のインピーダンスＺｐｄ１よりも大きい値のインピーダンスＺｔｐを有している。端子部品７１は、第二部品パッド７３のインピーダンスＺｐｄ２よりも大きい値のインピーダンスＺｔｐを有している。
【００６６】
また、第一配線部７４は、第一送受信端７６のインピーダンスＺ０と第一部品パッド７２のインピーダンスＺｐｄ１の反射係数を抑制可能なインピーダンスＺｓｔ１を有し、かつ端子部品７１の電気長ＥＬｔｐ以下の電気長ＥＬｔ１を有している。第一部品パッド７２のインピーダンスＺｐｄ１には、端子部品７１を第一部品パッド７２にハンダ付けするために用いられるハンダ（不図示）のインピーダンスも含まれている。第二配線部７５は、第二送受信端７７のインピーダンスＺ０と第二部品パッド７３のインピーダンスＺｐｄ２の反射係数を抑制可能なインピーダンスＺｓｔ２を有し、かつ端子部品７１の電気長ＥＬｔｐ以下の電気長ＥＬｔ２を有している。第二部品パッド７３のインピーダンスＺｐｄ２には、端子部品７１を第二部品パッド７３にハンダ付けするために用いられるハンダ（不図示）のインピーダンスも含まれている。
【００６７】
図６に示すように、端子部品７１は、第一部品パッド７２及び第二部品パッド７３のそれぞれのインピーダンスＺｐｄ１，Ｚｐｄ２よりも高いインピーダンスＺｔｐを有している。以下、インピーダンスのそれぞれの符号「Ｚｔｐ、Ｚｐｄ１，Ｚｐｄ２」をインピーダンスの値としても用いる。端子部品７１、第一部品パッド７２及び第二部品パッド７３のそれぞれのインピーダンスは、以下の式（１３）の関係を満たす。
Ｚｔｐ＞Ｚｐｄ１、かつ、Ｚｔｐ＞Ｚｐｄ２  ・・・（１３）
【００６８】
第一部品パッド７２のインピーダンスＺｐｄ１及び第二部品パッド７３のインピーダンスＺｐｄ２は、同じ値である必要はないが、いずれも端子部品７１のインピーダンスＺｔｐの値よりも小さい値である必要がある。
【００６９】
第一配線部７４は、第一送受信端７６のインピーダンスＺ０と第一部品パッド７２のインピーダンスＺｐｄ１の反射係数を１／４から１／２に抑制するインピーダンスＺｓｔ１を有している。以下、第一送受信端７６及び第二送受信端７７のインピーダンスの符号「Ｚ０」をインピーダンスの値としても用いる。第一配線部７４のインピーダンスＺｓｔ１は、上述の式（８）の関係を満たす。
【００７０】
第二配線部７５は、第二送受信端７７のインピーダンスＺ０と第二部品パッド７３のインピーダンスＺｐｄ２の反射係数を１／４から１／２に抑制するインピーダンスＺｓｔ２を有している。第二配線部７５のインピーダンスＺｓｔ２は、上述の式（９）の関係を満たす。
【００７１】
第一配線部７４は、端子部品７１の電気長ＥＬｔｐの１／２から１／１までの電気長ＥＬｔ１を有している。つまり、第一配線部７４は、端子部品７１の電気長ＥＬｔｐの半分の長さから電気長ＥＬｔｐと同じ長さの間の電気長ＥＬｔ１を有している。以下、電気長の符号「ＥＬｔｐ，ＥＬｔ１」を電気長の値としても用いる。第一配線部７４の電気長ＥＬｔ１は、以下の式（１４）の関係を満たす。
ＥＬｔｐ／２＜ＥＬｔ１≦ＥＬｔｐ  ・・・（１４）
【００７２】
第二配線部７５は、端子部品７１の電気長ＥＬｔｐの１／２から１／１までの電気長ＥＬｔ２を有している。つまり、第二配線部７５は、端子部品７１の電気長ＥＬｔｐの半分の長さから電気長ＥＬｔｐと同じ長さの間の電気長ＥＬｔ２を有している。以下、電気長の符号「ＥＬ２」を電気長の値としても用いる。第二配線部７５の電気長ＥＬ２は、以下の式（１５）の関係を満たす。
ＥＬｔｐ／２＜ＥＬｔ２≦ＥＬｔｐ  ・・・（１５）
【００７３】
ところで、第一配線部７４が、第一送受信端７６のインピーダンスＺ０と第一部品パッド７２のインピーダンスＺｐｄ１の反射係数を１／４から１／２の範囲内に抑制できないインピーダンスＺｓｔ１を有しているとする。また、第二配線部７５は、第二送受信端７７のインピーダンスＺ０と第二部品パッド７３のインピーダンスＺｐｄ２の反射係数を１／４から１／２の範囲内に抑制できないインピーダンスＺｓｔ２を有しているとする。また、第一配線部７４は、端子部品７１の電気長ＥＬｔｐの１／２から１／１までの範囲外の電気長ＥＬｔ１を有しているとする。さらに、第二配線部７５は、端子部品７１の電気長ＥＬｔｐの１／２から１／１までの範囲外の電気長ＥＬｔ２を有しているとする。伝送路７がこれらの条件の少なくとも１つでも満たして形成されている場合、伝送路７の反射特性は、２つの反射面Ｒ０（詳細は後述）及び反射面Ｒｐｄ１，Ｒｐｄ２，Ｒｔｐ１，Ｒｔｐ２（詳細は後述）による複合的な要素で悪化してしまう。
【００７４】
第一配線部７４及び第二配線部７５のインピーダンスＺｓｔ１，Ｚｓｔ２や電気長ＥＬｔ１，ＥＬｔ２は、配線幅、配線材料の誘電率、配線の高さ（厚さ）などで調整することによって実現できる。また、第一配線部７４及び第二配線部７５のインピーダンスＺｓｔ１，Ｚｓｔ２や電気長ＥＬｔ１，ＥＬｔ２は、第一配線部７４及び第二配線部７５がレジストで覆われるか否か、あるいは当該レジストの高さ（厚さ）で調整することによって実現できる。
【００７５】
次に、伝送路７の動作について説明する。例えば、第一送受信端７６から伝送路７に送信された電気信号（デジタル信号又はアナログ信号）は、第一送受信端７６と第一配線部７４との接続部に形成される反射面Ｒ０で反射されるとともに透過する。反射面Ｒ０を透過した電気信号は、第一配線部７４を伝送し、第一配線部７４と第一部品パッド７２との接続部に形成される反射面Ｒｐｄ１において反射されるとともに透過する。反射面Ｒｐｄ１を透過した電気信号は、第一部品パッド７２を伝送し、第一部品パッド７２と端子部品７１との接続部に形成される反射面Ｒｔｐ１において反射されるとともに透過する。反射面Ｒｔｄ１を透過した電気信号は、端子部品７１を伝送し、端子部品７１と第二部品パッド７３との接続部に形成される反射面Ｒｔｐ２において反射されるとともに透過する。反射面Ｒｔｄ２を透過した電気信号は、第二部品パッド７３を伝送し、第二部品パッド７３と第二配線部７５との接続部に形成される反射面Ｒｐｄ２において反射されるとともに透過する。反射面Ｒｐｄ２を透過した電気信号は、第二配線部７５を伝送し、第二配線部７５と第二送受信端７７との接続部に形成される反射面Ｒ０において反射されるとともに透過し、第二送受信端７７から基板７９に設けられた所定の回路に送出される。
【００７６】
このように、伝送路７を電気信号が伝送する際に、反射面Ｒｔｐ１で反射した反射波Ｗｔｐ１と、反射面Ｒｔｐ２で反射した反射波Ｗｔｐ２とが重なるときに、振幅が大きい反射波Ｗｔｐとなり、信号品質を劣化させる。反射波Ｗｔｐの振幅が最も大きくなるのは、反射波Ｗｔｐの波長λが端子部品７１の電気長ＥＬｔｐのλ／４になるときである。
【００７７】
第一配線部７４は、第一送受信端７６のインピーダンスＺ０と第一部品パッド７２のインピーダンスＺｐｄ１の反射係数を１／４から１／２に抑制可能なインピーダンスＺｓｔ１を有し、かつ端子部品７１の電気長ＥＬｃｐ以下の電気長ＥＬｔ１を有している。このため、第一送受信端７６に基づく反射面Ｒ０で反射した反射波Ｗ０及び反射面Ｒｐｄ１で反射した反射波Ｗｐｄ１は、反射波Ｗｔｐと位相が１８０°反転し、かつ反射波Ｗｔｐの振幅の１／４から１／２の振幅を有する。また、第二配線部７５は、第二送受信端７７のインピーダンスＺ０と第二部品パッド７３のインピーダンスＺｐｄ２の反射係数を１／４から１／２に抑制可能なインピーダンスＺｓｔ２を有し、かつ端子部品７１の電気長ＥＬｃｐ以下の電気長ＥＬｔ２を有している。このため、第二送受信端７７に基づく反射面Ｒ０で反射した反射波Ｗ０及び反射面Ｒｐｄ２で反射した反射波Ｗｐｄ２は、反射波Ｗｔｐと位相が１８０°反転し、かつ反射波Ｗｔｐの振幅の１／４から１／２の振幅を有する。
【００７８】
このため、反射波Ｗｐｄ１及び反射波Ｗｐｄ２は、反射波Ｗｔｐの振幅が最大となる周波数を打ち消す。これにより、伝送路７に生じる反射波が低減され、伝送路７を伝送する電気信号の信号品質の劣化を防止することができる。
【００７９】
以上説明したように、本実施例による伝送路７は、上記実施形態による伝送路１と同様の効果が得られる。また、本実施例による伝送路７は、特別な部品を用いずに、第一送受信端７６と第一部品パッド７２との間を接続する第一配線部７４のインピーダンスと、第二送受信端７７と第二部品パッド７３との間を接続する第二配線部７５のインピーダンスとを調整することによって、伝送する電気信号の信号品質の劣化を防止することができる。
【００８０】
本実施例による伝送路７では、端子部品７１は、第一部品パッド７２及び第二部品パッド７３のそれぞれのインピーダンスＺｐｄ１，Ｚｐｄ２よりも高いインピーダンスＺｔｐを有している。しかしながら、端子部品７１は、第一部品パッド７２及び第二部品パッド７３のそれぞれのインピーダンスＺｐｄ１，Ｚｐｄ２よりも低いインピーダンスＺｔｐを有し、以下の式（１６）の関係を満たしていてもよい。
Ｚｔｐ＜Ｚｐｄ１、かつ、Ｚｔｐ＜Ｚｐｄ２  ・・・（１６）
【００８１】
本技術は、上記実施形態に限らず、種々の変形が可能である。
上記第一実施形態、変形例、実施例１及び実施例２による伝送路は、シングルエンドの伝送方式の伝送路であるが、差動線路の伝送路であっても、同様の効果が得られる。
【００８２】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００８３】
なお、本技術は以下のような構成もとることができる。
（１）
第一送受信端と第二送受信端との間に設けられた基準部と、
前記基準部の両側の一方と前記第一送受信端との間に設けられた第一領域と、
前記基準部の両側の他方と前記第二送受信端との間に設けられた第二領域と、
前記基準部と前記第一領域との間に設けられた第一非基準部と、
前記基準部と前記第二領域との間に設けられた第二非基準部と
を備え、
前記基準部は、前記第一非基準部及び前記第二非基準部のそれぞれと異なるインピーダンスを有し、
前記第一領域は、前記第一送受信端のインピーダンスと前記第一非基準部のインピーダンスの反射係数を抑制可能なインピーダンスを有し、かつ前記基準部の電気長以下の電気長を有し、
前記第二領域は、前記第二送受信端のインピーダンスと前記第二非基準部のインピーダンスの反射係数を抑制可能なインピーダンスを有し、かつ前記基準部の電気長以下の電気長を有する
伝送路。
（２）
前記基準部は、前記第一非基準部及び前記第二非基準部のそれぞれのインピーダンスよりも高いインピーダンス又は低いインピーダンスを有する
請求項１に記載の伝送路。
（３）
前記第一領域は、前記第一送受信端のインピーダンスと前記第一非基準部のインピーダンスの反射係数を１／４から１／２に抑制するインピーダンスを有し、
前記第二領域は、前記第二送受信端のインピーダンスと前記第二非基準部のインピーダンスの反射係数を１／４から１／２に抑制するインピーダンスを有する
前記（１）又は（２）に記載の伝送路。
（４）
前記第一領域は、前記基準部の電気長の１／２から１／１までの電気長を有し、
前記第二領域は、前記基準部の電気長の１／２から１／１までの電気長を有する
前記（１）から（３）までのいずれか一項に記載の伝送路。
（５）
前記基準部は、基板上に設けられたチップ部品であり、
前記第一非基準部及び前記第二非基準部は、前記チップ部品を前記基板に設けるための部品パッドであり、
前記第一領域及び前記第二領域は、前記基板に形成された配線部である
前記（１）から（４）までのいずれか一項に記載の伝送路。
（６）
前記基準部は、基板上に設けられた端子部品であり、
前記第一非基準部及び前記第二非基準部は、前記端子部品を前記基板に設けるための部品パッドであり、
前記第一領域及び前記第二領域は、前記基板に形成された配線部である
前記（１）から（４）までのいずれか一項に記載の伝送路。
（７）
前記第一領域は、矩形状を有する
前記（１）から（６）までのいずれか一項に記載の伝送路。
（８）
前記第一領域は、テーパーが形成された角部を有する
前記（７）に記載の伝送路。
（９）
前記第二領域は、矩形状を有する
前記（１）から（８）までのいずれか一項に記載の伝送路。
（１０）
前記第二領域は、テーパーが形成された角部を有する
前記（９）に記載の伝送路。
【符号の説明】
【００８４】
１，３，５，７  伝送路
１１  基準部
１２，３２  第一非基準部
１３，３３  第二非基準部
１４  第一反射抑制部
１５  第二反射抑制部
１６，５６，７６  第一送受信端
１７，５７，７７  第二送受信端
５１  チップ部品
５２，７２  第一部品パッド
５３，７３  第二部品パッド
５４，７４  第一配線部
５５，７５  第二配線部
７１  端子部品
５９，７８，７９  基板
７１１  第一部品
７１２  第二部品
ＥＬ１，ＥＬ２，ＥＬｃｐ，ＥＬｒｅｆ，ＥＬｔ１，ＥＬｔ２，ＥＬｔｐ  電気長
Ｒ０，Ｒｃｐ１，Ｒｃｐ２，Ｒｎｒｅｆ１，Ｒｎｒｅｆ２，Ｒｐｄ１，Ｒｐｄ２，Ｒｒｅｆ１，Ｒｒｅｆ２，Ｒｔｄ１，Ｒｔｄ２，Ｒｔｐ１，Ｒｔｐ２  反射面
Ｚ０，Ｚｃｐ，Ｚｎｒｅｆ，Ｚｎｒｅｆ１，Ｚｎｒｅｆ２，Ｚｐｄ１，Ｚｐｄ２，Ｚｒｅｆ，Ｚｓｔ１，Ｚｓｔ２，Ｚｓｕｐ１，Ｚｓｕｐ２，Ｚｔｐ  インピーダンス
【図１】
2020121676.tif 000003
【図２】
2020121676.tif 000004
【図３】
2020121676.tif 000005
【図４】
2020121676.tif 000006
【図５】
2020121676.tif 000007
【図６】
2020121676.tif 000008
【国際調査報告】
2020121676.tif 000009
2020121676.tif 000010
2020121676.tif 000011
2020121676.tif 000012